(57)【要約】【課題】目標とする出力色に合わせるための基本色の出力強度の組み合わせに基づいて出力を行う出力色の調整方法を提供することにある。【解決手段】複数の基本色の出力強度の組み合わせと複数の色特性の値との関係を表す第１の参照テーブルを生成し、網点画像を構成する色の出力すべき色特性の値の第２の参照テーブルを生成し、前記第１の参照テーブルと前記第２の参照テーブルとにより生成された前記網点画像を構成する色の複数の基本色の出力強度の組み合わせの第１の出力強度テーブルを生成し、前記第１の出力強度テーブルに基づいて出力された出力色の色特性の値を測定し、前記測定された色特性の値を用いて前記第２の参照テーブルを補正し、前記第１の参照テーブルと前記補正された第２の参照テーブルとにより前記網点画像を構成する色の前記複数の基本色の出力強度の組み合わせの第２の出力強度テーブルを生成し、前記第２の出力強度テーブルに基づいて前記複数の基本色の出力強度を変化させる。【選択図】      図１３
2004274546.tif 000002
【特許請求の範囲】
【請求項１】
網点画像を構成する色を複数の基本色の出力強度を変化させて出力する出力色の調整方法であって、
前記複数の基本色の出力強度の組み合わせと複数の色特性の値との関係を表す第１の参照テーブルを生成する段階と、
前記網点画像を構成する色の出力すべき色特性の値の第２の参照テーブルを生成する段階と、
前記第１の参照テーブルと前記第２の参照テーブルとにより生成された、前記網点画像を構成する色の前記複数の基本色の出力強度の組み合わせの第１の出力強度テーブルを生成する段階と、
前記第１の出力強度テーブルに基づいて出力された出力色の色特性の値を測定する段階と、
前記測定された色特性の値を用いて前記第２の参照テーブルを補正する段階と、
前記第１の参照テーブルと前記補正された第２の参照テーブルとにより前記網点画像を構成する色の前記複数の基本色の出力強度の組み合わせの第２の出力強度テーブルを生成する段階と、を含み、
前記第２の出力強度テーブルに基づいて前記複数の基本色の出力強度を変化させることを特徴とする出力色の調整方法。
【請求項２】
前記第１の参照テーブルは、参照となる特定のカラー画像出力装置において、前記複数の基本色の出力強度の組み合わせを変化させて出力させ、その出力色を測定して得られた色特性の値を基に生成されたものである請求項１に記載の出力色の調整方法。
【請求項３】
前記第２の参照テーブルの補正は、前記測定された色特性の値と前記網点画像を構成する色の出力すべき色特性の値との差に基づいて行う請求項１または請求項２に記載の出力色の調整方法。
【請求項４】
前記網点画像を構成する色は、
シアン（Ｃ）、マゼンタ（Ｍ）、イエロー（Ｙ）、ブラック（ＢＫ）のいずれか１つ、少なくとも２つ以上の組み合わせ、または、いずれも含まない白地の中の少なくとも１つを含む請求項１乃至請求項３のいずれかに記載の出力色の調整方法。
【請求項５】
前記網点画像を構成する色は、
シアン（Ｃ）、マゼンタ（Ｍ）、イエロー（Ｙ）、ブラック（ＢＫ）、及び、前記以外の１つ以上の特色のいずれか１つ、少なくとも２つ以上の組み合わせ、または、いずれも含まない白地、の中の少なくとも１つを含む請求項１乃至請求項３のいずれかに記載の出力色の調整方法。
【請求項６】
前記色特性の値は、表色系の値のＬ＊ａ＊ｂ＊値である請求項１乃至請求項５のいずれかに記載の出力色の調整方法。
【請求項７】
網点画像を構成する色を複数の基本色を用いて形成することでカラー画像を形成するカラー画像形成装置であって、
前記複数の基本色の出力強度の組み合わせと複数の色特性の値との関係を表す第１の参照テーブルと、
前記網点画像を構成する色の出力すべき色特性の値の第２の参照テーブルと、前記第１の参照テーブルと前記第２の参照テーブルとにより生成された、前記網点画像を構成する色の前記複数の基本色の出力強度の組み合わせの第１の出力強度テーブルと、
前記第１の出力強度テーブルに基づいて出力された出力色の色特性の値と、前記出力色の色特性の値を用いて前記第２の参照テーブルを補正する補正手段と、前記第１の参照テーブルと前記補正された第２の参照テーブルとにより前記網点画像を構成する色の前記複数の基本色の出力強度の組み合わせの第２の出力強度テーブルを生成する生成手段と、
前記網点画像を構成する色を出力する際に、前記第２の出力強度テーブルに基づいて、前記複数の基本色の出力強度を変化させる制御手段とを備えることを特徴とするカラー画像形成装置。
【発明の詳細な説明】
【０００１】
【発明の属する技術分野】
本発明は、出力装置の出力色を目標とする出力色に合わせるための色の調整方法及びその調整方法を利用してカラー画像を形成するカラー画像形成装置に関し、特に、網点画像を構成する色の調整を行う色の調整方法及びカラー画像形成装置に関する。
【０００２】
【従来の技術】
近年、ＤＴＰ（Ｄｅｓｋ  Ｔｏｐ  Ｐｕｂｌｉｓｈｉｎｇ）等の普及により、スキャナから入力した画像をコンピュータのソフトウエア上で画像編集、ページ面付けする作業が一般化し、フルデジタルでの編集も珍しくなくなってきている。
【０００３】
このような工程では、さらなる効率化を目指して、フィルムにページ編集済みの画像データを直接出力するイメージセッター出力や、印刷版に直接画像記録を行うＣＴＰ（Ｃｏｍｐｕｔｅｒ  ｔｏ  Ｐｌａｔｅ）出力、さらには、印刷機のシリンダー上に巻かれた印刷版に直接画像記録を行うＣＴＣ（Ｃｏｍｐｕｔｅｒ
ｔｏ  Ｃｙｌｉｎｄｅｒ）が行われる。
【０００４】
この場合、校正確認の為だけに一端フィルム出力や印刷版出力を行い、印刷校正や、その他の校正材料による校正を行うことは、フィルム、印刷版のムダや余計な作業が多くなる問題がある。
【０００５】
その為、特に、このようなコンピュータによるフルデジタルの画像作成、編集を行う工程では、ＤＤＣＰないしはＤＣＰ（Ｄｉｇｉｔａｌ  Ｃｏｒｏｒ  Ｐｒｏｏｆ）と呼ばれる直接カラー画像出力を行うシステムが求められている。
【０００６】
このようなＤＤＣＰは、コンピュータ上で加工されたデジタル画像データからイメージセッターなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、コンピュータ上で加工されたデジタル画像が示す出力対象を再現するカラープルーフを作成し、その絵柄、色調、文章文字等の確認を行うものである。
【０００７】
また、このような印刷工程における校正のプロセスでは、（１）作業現場内部ミスの確認、すなわち内校、（２）発注主、デザイナーへの仕上がり確認用の提出される外校、（３）印刷機の機長に対して、最終印刷物の見本として提供される印刷見本、の主として３つの用途にプルーフが作成、使用される。
【０００８】
このように、カラー印刷を作成する際には、原稿フィルムの段階で色校正を行うことにより、Ｙ（イエロー）版、Ｍ（マゼンダ）版、Ｃ（シアン）版、及びＢＫ（墨色）版に分解された各色分解網原稿フィルムを使って校正物（カラープルーフ）を作成し、本番の印刷版を作成する前に、原稿フィルムのレイアウトに間違いないか、色間違いないか、文字の誤りがないか等を検査し、印刷物の仕上がりを事前に確認するようにしている。
【０００９】
この際、内部の確認用、及び一部の外校用途においては、納期短縮、コスト削減等のニーズから、網点画像再現ができない校正材料、すなわち、昇華転写方式による校正や、インクジェット、電子写真などの出力物を主として体裁確認用の校正として使用するケースがあるが、ハイライト部の再現性や、細かいディテールの確認、印刷時のモアレと呼ばれる網画像の不適切な干渉縞の確認等のためには、やはり印刷網点を忠実に再現するプルーフが強く望まれているのが実状である。
【００１０】
このようなニーズに対し、近年ハイパワーヒートモードレーザを用いて、昇華転写記録材料や、感熱記録材料に画像露光を行い、印刷本誌に転写するタイプのＤＤＣＰが普及し始めているが、これらのシステムは、レーザヘッドのコストが高く、機器が高価で、かつ材料も多数の色画像形成シートを利用する為に高価であること、また画像露光、転写というプロセスが色数分だけ必要で長時間を要することが問題となっており、すべての業務に適用したり、従来の印刷校正のように多数枚複製を作成したりすることが、コスト、時間の点から難しいという問題を有している。
【００１１】
そこで、カラープルーフをＤＤＣＰで行う際の一つの手法として、各色分解網原稿の網点画像データに基づいて、銀塩カラー感光材料に、例えば、Ｒ、Ｇ、Ｂ等の波長の異なる複数の光の組み合わせからなる光点を露光して、３つの基本色Ｙ、Ｍ、Ｃの各ドットを発色させる手法が用いられる。
【００１２】
また、上述の手法を用いたカラー画像出力装置で、目標とする出力色に合わせるように、出力する出力色を基本色の出力強度を変化させて調整し重ね合わせることでカラー画像を出力するものがある（例えば、特願２００１−３４８３７１号明細書（段落〔０１１９〕−〔０１６８〕、第５図）。）。
【００１３】
また、出力色の調整は、例えば、カラー画像出力装置の基本色の出力強度を変化させた複数の出力色と目標とする出力色とに基づいて、目標とする出力色に合わせるように３つの基本色（Ｙ、Ｍ、Ｃ）の出力強度の組み合わせを求め、求めた組み合わせに基づいて出力をおこなうものである。
【００１４】
したがって、例えば、経時変化によりカラー画像出色装置の出力色が変化した場合には、出力色が変化した状態のカラー画像出力装置を用いて再度基本色の出力強度を変化させた複数の出力色と目標とする出力色とに基づいて、目標とする出力色に合わせるように３つの基本色（Ｙ、Ｍ、Ｃ）の出力強度の組み合わせを求めることや、別のカラー画像出力装置ならば当然の如く出力色も異なるためにやはりそのカラー画像出力装置を用いて基本色の出力強度を変化させた複数の出力色と目標とする出力色とに基づいて、目標とする出力色に合わせるように３つの基本色（Ｙ、Ｍ、Ｃ）の出力強度の組み合わせを求めることが必要とされていた。
【００１５】
【発明が解決しようとする課題】
しかしながら、より精度良く目標とする出力色に合わせるためには基本色の出力強度の組み合わせを求める際、出力強度をより細かく変化させた基本色を組み合わせて出力した出力色を測定して求める必要があるため、測定する出力色の数は多くなり、基本色の出力強度の組み合わせを求める作業は繁雑なものとなり多大な時間と労力を要することになる。
【００１６】
また、基本色を重ね合わせて網点画像でカラー画像を出力するカラー画像出力装置では、出力強度を変化させた基本色の組み合わせについて多数のカラーパッチを一枚の画像の中で出力することは困難である。したがって、経時変化したカラー画像出力装置や別のカラー画像出力装置（機差）であっても、新たな基本色の出力強度の組み合わせを求めずある特定の出力装置を用いて求めた基本色の出力強度の組み合わせを用いるため、目標とする出力色に対して色が十分い合わない場合がある。
【００１７】
本発明は、上記事情に鑑みてなされたものであり、その目的とするところは、新たに基本色の出力強度を変化させた複数の出力色を出力することをせずに、経時変化した出力装置や機差などの変化に応じて目標とする出力色に合わせるための基本色の出力強度の組み合わせ求めることを可能とし、その求めた目標とする出力色に合わせるための基本色の出力強度の組み合わせに基づいて出力を行う出力色の調整方法及びその出力色の調整方法を利用してカラー画像を形成するカラー画像形成装置を提供することにある。さらに、その変化に応じた目標とする出力色に合わせるための基本色の出力強度の組み合わせを容易に求めることを可能とすることにある。
【００１８】
【課題を解決するための手段】
上記目的を達成するために、請求項１に記載の発明は、網点画像を構成する色を複数の基本色の出力強度を変化させて出力する出力色の調整方法であって、前記複数の基本色の出力強度の組み合わせと複数の色特性の値との関係を表す第１の参照テーブルを生成する段階と、前記網点画像を構成する色の出力すべき色特性の値の第２の参照テーブルを生成する段階と、前記第１の参照テーブルと前記第２の参照テーブルとにより生成された、前記網点画像を構成する色の前記複数の基本色の出力強度の組み合わせの第１の出力強度テーブルを生成する段階と、前記第１の出力強度テーブルに基づいて出力された出力色の色特性の値を測定する段階と、前記測定された色特性の値を用いて前記第２の参照テーブルを補正する段階と、前記第１の参照テーブルと前記補正された第２の参照テーブルとにより前記網点画像を構成する色の前記複数の基本色の出力強度の組み合わせの第２の出力強度テーブルを生成する段階と、を含み、前記第２の出力強度テーブルに基づいて前記複数の基本色の出力強度を変化させることを特徴としている。
【００１９】
また、請求項２に記載の発明は、前記第１の参照テーブルは、参照となる特定のカラー画像出力装置において、前記複数の基本色の出力強度の組み合わせを変化させて出力させ、その出力色を測定して得られた色特性の値を基に生成されたものであることを特徴としている。
【００２０】
また、請求項３に記載の発明は、前記第２の参照テーブルの補正は、前記測定された色特性の値と前記網点画像を構成する色の出力すべき色特性の値との差に基づいて行うことを特徴としている。
【００２１】
また、請求項４に記載の発明は、前記網点画像を構成する色は、シアン（Ｃ）、マゼンタ（Ｍ）、イエロー（Ｙ）、ブラック（ＢＫ）のいずれか１つ、少なくとも２つ以上の組み合わせ、または、いずれも含まない白地の中の少なくとも１つを含むことを特徴としている。
【００２２】
また、請求項５に記載の発明は、前記網点画像を構成する色は、シアン（Ｃ）、マゼンタ（Ｍ）、イエロー（Ｙ）、ブラック（ＢＫ）、及び、前記以外の１つ以上の特色のいずれか１つ、少なくとも２つ以上の組み合わせ、または、いずれも含まない白地、の中の少なくとも１つを含むことを特徴としている。
【００２３】
また、請求項６に記載の発明は、前記色特性の値は、表色系の値のＬ＊ａ＊ｂ＊値であることを特徴としている。
【００２４】
また、請求項７に記載の発明は、網点画像を構成する色を複数の基本色を用いて形成することでカラー画像を形成するカラー画像形成装置であって、前記複数の基本色の出力強度の組み合わせと複数の色特性の値との関係を表す第１の参照テーブルと、前記網点画像を構成する色の出力すべき色特性の値の第２の参照テーブルと、前記第１の参照テーブルと前記第２の参照テーブルとにより生成された、前記網点画像を構成する色の前記複数の基本色の出力強度の組み合わせの第１の出力強度テーブルと、前記第１の出力強度テーブルに基づいて出力された出力色の色特性の値と、前記出力色の色特性の値を用いて前記第２の参照テーブルを補正する補正手段と、前記第１の参照テーブルと前記補正された第２の参照テーブルとにより前記網点画像を構成する色の前記複数の基本色の出力強度の組み合わせの第２の出力強度テーブルを生成する生成手段と、前記網点画像を構成する色を出力する際に、前記第２の出力強度テーブルに基づいて、前記複数の基本色の出力強度を変化させる制御手段とを備えることを特徴としている。
【００２５】
【発明の実施の形態】
以下、本発明の好適な実施の形態の一例について、図面を参照して具体的に説明する。
【００２６】
（システムの全体構成）
本実施の形態における出力色の調整は、ターゲット（例えば、印刷機）の出力する網点画像の網点画像を構成する色を出力装置で出力する場合に、出力装置が形成する画素（ドット）を複数の基本色（Ｙ（イエロー）、Ｍ（マゼンタ）、Ｃ（シアン）、以下「Ｃ、Ｍ、Ｙ」、「ＹＭＣ」、「ＣＭＹ」と順序などを変えて記す場合もある。）の出力強度を変化させて出力する。そのために、まず、出力装置において出力装置の基本色の出力強度を変化させた格子状の組み合わせを予め出力し、その出力結果を測定して求めた複数の色特性の値としての表色系の値（本実施の形態では、以下、表色系の値としてＬ＊ａ＊ｂ＊値を用いる。Ｌ＊ａ＊ｂ＊値は色を表す３次元空間であり、ａ＊ｂ＊平面により色度・彩度が表され、Ｌ＊はａ＊ｂ＊平面に直交し明度を表す。）に対する複数の基本色の出力強度の組み合わせと、本発明に言う網点画像を構成する色の出力すべき表色系の値（網点画像を構成する色とは、目標となる白地及び基準色のことであり、詳細は後述する。以下、「網点画像を構成する色」を白地及び基準色と記す。）とに基づいて、目標となる白地及び基準色に対応する出力色について基本色の出力強度の組み合わせを求めておき、その組み合わせを用いて出力を行う。ところで、本発明の特徴は、ある特定の出力装置を用いて作成した複数の基本色の出力強度の組み合わせと複数の色特性の値としての表色系の値との関係に基づき前述の如く求めた基本色の出力強度の組み合わせを用いて出力装置で出力した目標となる白地及び基準色に対応する出力色の表色系の値を測定した値と目標となる白地及び基準色の表色系の値との差に基づいて、目標となる白地及び基準色に対応する出力色について基本色の出力強度の組み合わせを新たに求めて、その新たに求めた基本色の出力強度の組み合わせにより出力することにより出力色を補正して、例えば経時変化した出力装置や機差に対応することができる点にある。
【００２７】
この本発明の特徴の説明に先立って、デスクトップパブリッシング分野におけるカラープルーフ作成システムの全体の概略構成について、図１〜図２を参照して説明する。図１は、本発明の実施の形態によるカラープルーフ作成システムの全体構成の概略を示す説明図であり、図２は、その機能ブロック図である。
【００２８】
本実施の形態のカラープルーフ作成システム１は、図１に示すように、ＬＡＮ等により構成されるネットワーク３に接続された複数例えば３台の画像データの生成等を行う画像編集の機能を有する上流端末装置２Ａ、２Ｂ、２Ｃと、同じくネットワーク３に接続された複数例えば２台の画像出力制御機能を有する画像処理装置１０（１０Ａ、１０Ｂ）と、各画像処理装置１０（１０Ａ、１０Ｂ）に各々接続された複数例えば２台の出力装置２０（２０Ａ、２０Ｂ）とを含んで構成している。画像処理装置１０は、サーバー等のコンピュータにて形成されることが好ましく、出力装置２０（２０Ａ、２０Ｂ）はＤＣＰ（デジタルカラープルーフ）作成装置を用いている。
【００２９】
上流端末装置２Ａ、２Ｂ、２Ｃは、各々コンピュータ端末装置として動作するものであり、上流端末装置２Ａ、２Ｂ、２Ｃは、システム構成に応じて種々のハードウエア構成を採りうることが可能であり、この本例では、繁雑になるので図示していないが、ＣＰＵとＲＯＭ、ＲＡＭ等を有するコンピュータ本体と、これに接続されるＣＲＴ等のディスプレイ、マウス、キーボード、デジタイザ、ＦＤＤ装置、およびハードディスク等や、イメージスキャナ等の画像生成のための入力機器を備えている。
【００３０】
画像処理装置１０は、図２に示すように、上流端末２にて編集された画像編集ファイルの画像データを、ネットワーク３を通じて、もしくは、ＦＤＤ等の外部入出力装置を通じて、ＲＩＰ（Ｒａｓｔｅｒ  Ｉｍａｇｅ  Ｐｒｏｃｅｓｓｏｒ）等によってラスタデータに展開するとともに、分版して各色版データ（網点画像データ）を生成する処理を行い、各網点画像データを出力装置２０に転送して画像を出力するようになっている。
【００３１】
なお、画像処理装置１０（１０Ａ、１０Ｂ）もコンピュータ本体、表示部、キーボード等の入力機器を備え画像データの受け入れ、出力装置２０（２０Ａ、２０Ｂ）へのジョブの出力、障害時のジョブの処理等を行う動作プログラムを組み込でいる。なお、この発明を理解する上では繁雑になるので図示はしていないが、画像処理装置１０には、画像原稿を読み取るカラースキャナ、台紙の情報を読み取る台紙入力機、また必要に応じて、比較的低画質のゲラ印刷を行うゲラプリンタ等を接続してもよい。
【００３２】
出力装置２０は、画像処理装置１０から転送された網点画像データにより印刷用紙に画像を形成しカラープルーフを作成する。なお、出力装置２０は、網点出力が可能な高解像度の露光方式を用いたカラープルーファー等の画像形成装置から構成することができる。
【００３３】
これにより、画像処理装置１０からネットワーク３を介して画像データを出力装置２０に転送し、各色の画像データを記録材（出力媒体：出力用紙等）である基材に描画することにより、カラープルーフを形成することができる。
【００３４】
ここで、画像処理装置１０には、出力色の目標となる白地及び基準色に対応する出力色の調整等を制御するための各種テーブルを含むソフトウエアが搭載され、ターゲット（例えば印刷機）に応じて目標となる白地及び基準色に対応する出力色についての基本色の出力強度の組み合わせが設定されることにより、ターゲットと同等の色調のカラープルーフを作成することが可能である（詳細後述）。
【００３５】
（画像処理装置、出力装置について）
図２には、画像処理装置１０及び出力装置２０の具体的構成の一例が開示されている。尚、本発明に言う「カラー画像形成装置」は、画像処理装置１０及び出力装置２０により構成される。
【００３６】
画像処理装置１０は、出力装置２０を制御するコントローラとして機能し、図２に示すように、外部から編集された画像編集ファイルの画像データが入力される入力インターフェースである入力部１１と、入力部１１にて入力された画像データをラスタイメージデータなどに展開するとともに分版して各色版データたる網点画像データを生成する処理などを行う網点画像データ作成部１２と、画像データやパラメータの設定条件などを記憶するハードディスク等の記憶部１７と、網点画像データ作成部１２からの網点画像データと、記憶部１７の後述する図２には図示しない第２の出力強度テーブルとしてのカラーチャンネル色補正ＬＵＴ（「ＬＵＴ」とは、「ルックアップテーブル」のことである。）１７ｅと、に基づいて、目標となる白地及び基準色に対応する出力色についての基本色の出力強度の組み合わせを抽出して、目標となる白地及び基準色に対応する出力色の調整を行う調整演算処理部１３と、前記調整演算処理部１３での基本色の出力強度の組み合わせ並びに網点画像データ作成部１２からの網点画像データを例えば特１、Ｃ、Ｍ、Ｙ、ＢＫ等の面順序で出力し（特１は特色のことであり、特色の詳細は後述する。また、ＢＫはブラックのことであり、以下、ＢＫをＣＭＹに続ける場合に省略してＫと表しＣＭＹＫとする場合がある。）、出力装置２０に転送制御する出力インターフェースである転送制御部１４と、各種情報や設定条件等の設定操作入力を行う操作部１６と、各種ＬＵＴなどの各種設定パラメータを設定する画面などを表示するＣＲＴや液晶パネルからなる表示部１５と、ＦＤＤなどの外部入出力装置１８と、網点画像データ作成部１２、調整演算処理部１３、出力部１４、操作部１６、記憶部１７、表示部１５、及び外部入出力装置１８をそれぞれ制御するためのＣＰＵなどからなる制御部１９と、を含んで構成される。
【００３７】
このような、画像処理装置１０は、上流端末２から転送されてきた編集画像ファイルをラスタデータ等の画像データに展開するとともに、未だ分版されていない場合には当該画像データに基づき所定の色Ｙ、Ｍ、Ｃ、ＢＫ及び特色に分版する分版処理を行い、分版された各データを出力装置２０に向けて転送制御動作を行う。
【００３８】
入力部１１には、文字、絵柄等の画像を総合的に統合して編集する編集用の上流端末２からの画像編集ファイルのカラー情報を含む例えばページ記述言語（ＰＤＬ）等の画像データが入力される。この画像データとしては、例えば、ＰＳ・ＥＰＳ・ＰＤＦ等のページ記述言語で構成されたデータや、ＴＩＦＦ、ＴＩＦＦ／ＩＴ等の汎用フォーマットデータ、主要メーカーが自社専用フォーマットとして取り扱っているデータ、その他これに類する種々のデータなども含む。
【００３９】
網点画像データ作成部１２は、スプール用バッファを含む記憶部１７などを利用して、入力されたデータ例えばＰＤＬデータを所定の画像出力条件（例えば、網点の形状、網角度、スクリーン線数、感光材料のガンマ特性、現像機の特性等）に応じて２値画像データであるラスタイメージデータに展開するとともに、分版を行い網点画像データを生成する処理などを行う。
【００４０】
転送制御部１４は、この展開分版された画像データを出力装置２０に対して転送制御などの処理を行う。これにより、電子製版の元になる電子製版用画像データからラスターイメージフォーマットのＹ、Ｍ、Ｃ、ＢＫの画像データを、各色毎に順番（面順次）に生成する。
【００４１】
そして、電子製版用画像データから印刷物と同じスクリーン線数の網点、つまりドットの集合によって再現し、ドットの面積ゲイン量を印刷物のそれと近似させて再現する。これにより、印刷網点画像を忠実に再現する。ここで、網点とは、連続階調のある写真やイラストを印刷物として再現するためのスクリーンをかけた製版で作られる微細な点をいい、細かい点の集合によって視覚的に濃淡を感じることを利用したものである。
【００４２】
記憶部１７には、ある特定の紙、ある特定のインク、ある特定の出力装置２０を用いてＹ、Ｍ、Ｃの各基本色の出力強度を組み合わせて出力したカラー画像を測定することにより得られる、Ｙ、Ｍ、Ｃの各基本色の出力強度の組み合わせとこの出力強度の組み合わせに対応する表色系の値Ｌ＊、ａ＊、ｂ＊との相関関係を定義した後述するＣＭＹ→Ｌ＊ａ＊ｂ＊  ＬＵＴ１７ａや、ＣＭＹ→Ｌ＊ａ＊ｂ＊  ＬＵＴ１７ａから後述するように求められる、表色系の値Ｌ＊、ａ＊、ｂ＊値とそのＬ＊、ａ＊、ｂ＊値に対応するＹ、Ｍ、Ｃの各基本色の出力強度の組み合わせとの相関関係を定義した第１の参照テーブルとしてのＬ＊ａ＊ｂ＊→ＣＭＹ  ＬＵＴ１７ｂなどや、当該Ｌ＊ａ＊ｂ＊→ＣＭＹ  ＬＵＴ１７ｂを算出するためのプログラムや、当該Ｌ＊ａ＊ｂ＊→ＣＭＹ  ＬＵＴ１７ｂを利用して、Ｌ＊ａ＊ｂ＊値に対応する出力強度の組み合わせを算出処理するための処理プログラムなどが、特定のディレクトリにファイルとして格納されている。
【００４３】
また、記憶部１７は、この他、全体の制御プログラム及びフォントデータ、並びに色別分版処理（特色分版）のための制御プログラム、処理の途中経過などを一時的に記憶するワークメモリ、例えばポストスクリプト（ＰＳ）等のページ記述言語（ＰＤＬデータ）で記載された色データを含む図形ファイルデータ等を記憶するＰＳファイルメモリ、ＰＳファイルメモリのファイル中から全ての色のデータを抽出して記憶する色テーブルメモリ、特色分版された各色の分版ファイルをそれぞれ記憶する色別分版ファイルメモリ等、各種メモリ領域を含む。
【００４４】
操作部１６は、表示部１５と兼用になっており、それぞれ操作入力手段としての入力キー等から入力して設定でき、例えば保存ボタン等を押下することにより設定したパラメータを記憶部１７に記憶させることができる。
【００４５】
表示部１５は、出力装置２０の状況や各種情報を表示する表示手段であるとともに、各種設定や操作のための情報を入力する表示操作手段でもある。この操作部１６及び表示部１５にて設定されるパラメータには、例えば、各種ＬＵＴ等がある。
【００４６】
なお、出力設定情報としては、画像処理装置１０の場合、出力解像度、網点情報、ポジネガ設定、回転要否、各種色調整用の各種テーブル情報等であり、出力装置２０の場合、露光用テーブル情報、エラーログ等である。
【００４７】
制御部１９は、記憶部１７から出力装置２０について設定されて記憶された各種情報を読み出して網点画像データ作成部１２に設定するとともに、表示部１５に表示させ、各種情報に基づいて、網点画像データ作成部１２を制御する。
【００４８】
以上のような構成においては、画像処理装置１０と出力装置２０との間で網点画像データの転送以外に制御情報（カラー感光材料の搬送指示、露光開始／中止指示、及びそれらへの応答等）の通信を行なうことがある。この場合、制御情報は、転送制御部１４を介して通信される。なお、転送制御部１４内の複数の転送制御機能によって、制御情報の中継と網点画像データの転送等の制御が各々独立して転送されることが好ましい。
【００４９】
出力装置２０は、図２に示すように、画像処理装置１０から例えばＣ、Ｍ、Ｙ、Ｋの順に転送された網点画像データに基づいて、走査線本数毎（１主走査分）の露光用フォーマットに変換し、変換された網点画像データを、Ｙ，Ｍ，Ｃ，ＢＫの全色１枚分の全データからなる画素データを走査線本数毎の露光用フォーマットで読み出し、全色のデータを同時（点順次）に出力することで、レーザ露光を行う露光部２３と、露光部２３からのシートを現像処理し、カラー画像が形成された印刷用紙をカラープルーフとして出力する出力部２４と、データバッファである情報一時格納部２１と、記憶部２５，設定部２６と、露光部２３と出力部２４とを制御する制御部２２と、を備える。
【００５０】
なお、本実施形態の制御部２２は、後述するカラーチャンネル色補正ＬＵＴ１７ｅに規定する印刷の白地及び基準色とその白地及び基準色に対応する出力色についての基本色の出力強度の組み合わせとの対応関係に基づいて、基本色の出力強度を露光量により制御し、感材の発色する色を変化させ調整制御する。即ち、制御部２２は、本発明の制御手段としての機能を備えている。
【００５１】
情報一時格納部２１は、画像処理装置１０にて生成され、面順次に各色毎に転送されてきた網点画像データを、所定の領域に一時格納する。さらに、制御部２２により、走査線本数毎（１主走査分）の露光用フォーマットに変換された網点画像データをＹ、Ｍ、Ｃ、ＢＫ全色１枚分、他の所定の領域に一時格納する。
【００５２】
制御部２２は、Ｙ、Ｍ、Ｃ、ＢＫの全データからなる画素データを走査線本数毎の露光用フォーマットで読み出し、全色のデータを同時（点順次）に出力することで、感光材料に画像を露光部２３にて露光するように制御する。
【００５３】
本実施の形態の出力装置１０では、感光材料としてロール状のハロゲン化銀カラー写真感光材料をセットして、シート状に切断した後、並び替えられた網点画像データに応じて露光する。
【００５４】
出力部２４は、出力部２４に含まれる現像処理部にて現像処理を行い、カラープルーフを作成する。
【００５５】
なお、露光部２３における不図示の光学系においては、赤色光源、緑色光源、青色光源などを構成することが好ましい。この際、赤色光源は感光材料のマゼンタ発色層（Ｍ層）を感光させ、緑色光源は感光材料のシアン発色層（Ｃ層）を感光させ、青色光源は感光材料のイエロー発色層（Ｙ層）を感光させる。
【００５６】
赤色光源、緑色光源、青色光源は、変調信号に応じて光量変調されるようになっており、感光材料のＣＭＹ層の感光量を調整可能な構成としてある。
【００５７】
記憶部２５内のＬＵＴ部は、印刷の白地及び基準色すなわちＹ（イエロー）、Ｍ（マゼンタ）、Ｃ（シアン）、ＢＫ（ブラック）及び各色の組み合わせにより作られる色と、その白地及び基準色に対応する出力色についてのＹ、Ｍ、Ｃの出力強度の組み合わせとを規定するＬＵＴ（ルックアップテーブル）データ（であるカラーチャンネル表２５ａ）を記憶している。
【００５８】
なお、基準色としては、通常のカラー画像の印刷の原色であるＹ、Ｍ、Ｃ、ＢＫの４つの色や、加方混色の色の３原色であるＲ、Ｇ、Ｂの３つの色や、印刷の原色であるＹ、Ｍ、Ｃ、ＢＫの４つの色に１又は複数の特色を加えた５又はそれ以上の色などが挙げられるがこれらに限らない。なお、Ｙはイエロー（黄色）、Ｍはマゼンタ（赤紫色）、Ｃはシアン（青緑色）、ＢＫは墨色（黒色）、Ｂはブルー（青色）、Ｇはグリーン（緑色）、Ｒはレッド（赤色）を意味する。
【００５９】
また、印刷物によっては、色再現性を高めるために、ＹＭＣＫ以外の特別な色のインク、いわゆる「特色」インクが用いられることがある。この特色インクの版は「特色版」と呼ばれる。特色インクとしては、緑色、オレンジ色などのインクの他に、金色、銀色その他のメタリックカラーのインク等の各種のインクが用いられる。さらに特色インクは、濃度が均一でない場合があり、ラメや金粉の混ざったものなどが用いられることもある。特色版は、ロゴのように予め特色であることが指定されている画像部品を再現する場合や、特色インクで刷ることによってカラー画像の色再現性を高めたい場合などに用いられることが多い。
【００６０】
なお、前述のＬＵＴを画像処理装置１０側の記憶部１７に備えてもよく、出力装置２０側、画像処理装置１０側のいずれに備えるとしても、設定更新可能に形成することが好ましい。そして、出力装置２０側のＬＵＴにより送られた露光用フォーマットのＹ，Ｍ，Ｃ，Ｋの網点画像データを、Ｙ、Ｍ、Ｃの出力強度データに変換する。さらにＹ、Ｍ、Ｃの出力強度データを、Ｂ、Ｒ、Ｇの露光出力強度データに変換する。
【００６１】
その際の出力強度は、カラーチャンネル表２５ａに基づいて決められる。また、画素毎に、Ｙ，Ｍ，Ｃ，ＢＫの網点画像データ重ね合わせ、つまり白地及び基準色に基づいて、白地及び基本色の出力強度の組み合わせに変換する。このようにして、白地及び基準色に対応する出力色の調整は行われる。
【００６２】
網点画像データ生成部１２により作成された各色（Ｙ、Ｍ、Ｃ、ＢＫ）の網点画像データは、情報一時格納部２１に一時的に記憶するようになっている。情報一時格納部２１で転送速度の変動をアキュームしながら、ドットクロック等によりデータを全色同時に読み出し、ＬＵＴを含む記憶部２５に送る。
【００６３】
この時、赤色光源、緑色光源、青色光源が、変換されたＹ、Ｍ、Ｃの出力強度に基づいて発光し、印刷時のインクにより形成される色（基準色）および／または印刷用紙の色（白地）に対応した色を持つ画像を露光する。
【００６４】
また、制御部２２のＣＰＵが、センサ類からの感光材料の先端位置の情報及び図示していないがドラムの位置を検出するロータリエンコーダからのパルス信号のカウントに基づいて、光学ユニットから射出される光の照射位置に感光材料の画像記録領域が存在するか否か判断し、制御部２２は、この判断に基づき、光の照射位置に感光材料の画像記録領域が存在する期間は、各光源を常に発光させるに足る設定に制御している。
【００６５】
これにより、感光材料の画像記録領域がある期間、光源は常に発光し、良好な応答性になる。このようにしてドラムに保持されている感光材料に対する網点画像の画像出力を行う。他の出力装置２０Ｂの構成及び動作も出力装置２０Ａの場合と同様である。
【００６６】
なお、感光材料に記録される画像の画像記録密度は、網点画像による階調の再現性などの観点から主走査方向及び副走査方向共に６００ｄｐｉ以上（特に１０００ｄｐｉ以上、更に１２００ｄｐｉ以上）が好ましく、また、網点画像による階調の再現性の飽和や画像記録速度や装置コストなどの観点から主走査方向及び副走査方向共に１万ｄｐｉ以下（特に５０００ｄｐｉ以下）が好ましい。主走査方向及び副走査方向の画像記録密度は、主走査方向又は副走査方向１インチの長さの中に、画像記録される画素が幾つ並んでいるかを示すｄｐｉという単位で示される。
【００６７】
さらに、１つの網点は、１００以上（特に２００以上）の画素から記録されていることが、実際の印刷の網点に近い再現になり好ましい。また、１つの網点は、５０００以下（特に２０００以下）の画素から記録されていることが画像データの取り扱いが容易で、高速に画像データを処理でき好ましい。
【００６８】
また、露光光の各色の１秒当たりの記録画素数は、３００万画素／秒以上（特に１０００万画素／秒以上）であることが好ましい。これにより、高速画像記録と高精細な画像記録を両立させることができる。また、露光光の各色の１秒当たりの記録画素数は、４０億画素以下（特に５億画素以下）が好ましい。これにより、駆動回路が安定し、画像記録が安定し、露光出力強度や露光位置が安定し、低コストで、調整が容易にしやすい。
【００６９】
さらに、出力装置２０の制御部２２は、例えば出力装置２０における設定されている基本色出力強度情報等を検知する。この制御部２２からの信号により画像処理装置１０の制御部１９は、その基本色出力強度情報を検知し、これらの検知に基づいて画像処理装置１０の転送制御部１４からの基本色出力強度情報等を変更することもできる。
【００７０】
このように、カラー印刷物を作成するに当たって、様々な形式で記述されたデジタル画像データからラスターイメージフォーマットの画像データを作成し印刷版を作成する前に、網点画像データ作成部１２でデジタル画像データからラスターイメージフォーマットの画像データを生成し、記憶部１７を利用して、出力装置２０に適合するフォーマットの画像データに並び替え、この並び替えられた画像データに基づいて画像を記憶することにより、様々な形式で記述されたデジタル画像データから作成される印刷版で印刷されて得られる画像をシミュレーションするカラープルーフを作成し、デジタル画像データが示す画像にレイアウト、色、文字等の誤りがあるか否かなどの誤りの有無を検査し、印刷物の仕上がりを事前に確認できる。
【００７１】
なお、編集用の上流端末２から出力されたカラー情報を含むＰＤＬデータ等が、Ｃ、Ｍ、Ｙ、Ｋ、（もしくは特１）とからなる４（５）ページのすでに分版されているデータ（以下、必要に応じて既分版データともいう）である場合には、網点画像データ作成部１２では、処理モードを分版しないモード（非分版モード）としてラスタイメージ処理を行ってＣＭＹＫ特１の５版分のラスタイメージデータを出力することもできる。
【００７２】
一方、編集用の上流端末２から出力されたカラー情報を含むＰＤＬデータ等が１ページの記述である、未だ分版されていないデータ（以下、必要に応じて未分版データともいう。）である場合、網点画像データ作成部１２では、処理モードを分版するモード（分版モード）としてラスタイメージ処理を行ってラスタイメージデータを出力する。
【００７３】
このように、ＹＭＣＫが混在している画像データを、各々のデータに分版（分解）する分版処理は、編集用の上流端末２により実行されても、網点画像データ作成部１２にて実行されてもよい。すなわち、画像データは、プロセスカラー（ＣＭＹＫ）や特色が混在した１つのデータファイルであることが一般的であるが、場合によっては、各々の色版を別個のデータとして渡したり、特色データのみを別個のデータファイルとして渡すこともあり、各々の色版を別個のデータとして渡されている場合には、網点画像データ作成部１２での分版処理は省略される。
【００７４】
上述のような構成を有する画像処理装置１０において、ユーザーは、画像処理装置１０に対し、マウス、キーボード等の手段を利用して表示部１５において、各種指定を行うと、これらの指定入力情報は、記憶部１７に記憶される。
【００７５】
次に、このような準備のもとに、入力部１１を介して上流端末２からカラー情報を含むページ記述言語（ＰＤＬデータ）の取り込みを開始し、ＰＤＬデータの供給が終了したかどうかを判別する。
【００７６】
そして、外部の上流端末２で編集加工が行われて転送されてきた各種ページ記述言語などで記述された多値階調データである画像データは、網点画像データ作成部１２などによって展開分版され、１枚のカラープルーフを作成するのに必要な色別分版ファイル（網点画像データ）が生成され、２値の網点の網点画像データの画素を生成する。
【００７７】
すなわち、画像データは、印刷で再現できるデータであるから、当然色に関する情報は、印刷に使用する色で記述されている。従って、印刷色がプロセス色Ｙ、Ｍ、Ｃ、Ｋと特色の特１、特２である場合、画像データの色に関する記述はこれらの６色のみで記述されており、これから得られるラスター画像データは、これら６色の色情報を持っている。
【００７８】
尚、通常ＲＩＰ処理は、各色版毎の単色のラスター形式階調データを色数分出力するが、画素毎に各色階調値を並べた形式のデータであってもよい。いずれの形式においても、入力されたラスター画像データのある画素の色の値は、ベクトル値として、階調値＝（Ｃ、Ｍ、Ｙ、Ｋ、特１、特２）のように表現することが好ましい。各ベクトル成分はベタを１００、白を０とした０〜１００の数値（網点％）とする。
【００７９】
このとき、制御部１９は、他の指示がない場合には、デフォルトとして、網点画像データ作成部１２を分版処理モードに設定する。
【００８０】
転送されてきたカラー情報を含むＰＤＬデータが分版されているデータの場合には、網点画像データ作成部１２を予め分版モードに設定してラスタイメージ処理を開始し、分版されていないデータである場合には、網点画像データ処理部１２を非分版モードに設定して、カラー情報を含むＰＤＬデータを、網点画像データ作成部１２で分版処理でのラスタイメージ処理を行うようにしている。
【００８１】
このように制御することにより、転送されてきたＰＤＬデータが分版されていないデータであれば、網点画像データ作成部１２を分版モードに設定し、そのまま処理を継続することで、結果として、所望の４版分のラスタイメージデータが得られる。
【００８２】
これにより、結果として、編集用の上流端末２における分版・非分版処理モードと、網点画像データ処理部における分版・非分版処理モードが適切に選択され、分版処理は、編集用のＰＣ２または網点画像データ作成部１２のいずれか一方にて実行される。
【００８３】
ページ記述言語で書かれたファイル（以下、ＰＳファイルともいう）は、文字、写真、図形等が混在するデータを統一して取り扱うことができ、このようなページ記述言語で書かれたグラフィックデータ等を多色刷りで印刷する場合は、各色ごとの分版ファイル（特色分版を含む）を生成する。具体的には、ページ記述言語で書かれた図形データ等を含むＰＳファイルの中から、使用されている全ての色のデータを解析し、この色データに基づき、それぞれ色別分版ファイルの色版データを生成する。
【００８４】
そして、転送制御部１４が出力装置２０に対してデータを転送し、出力装置２０は、画像処理装置１０から所定の順序に従って、面順次に色版データを受付る。
【００８５】
画像処理装置１０にて生成され、面順次に各色毎に転送されてきた網点画像データは、出力装置２０において、走査線本数毎（１主走査分）の露光用フォーマットに変換され、出力装置２０の情報一時格納部２１の所定の領域に格納される。
【００８６】
この際、面順次の網点画像データ（印刷版に対応したＹ，Ｍ，Ｃ，ＢＫにそれぞれ分離されたデータ）は、露光部２３の複数ビーム本数の１走査分のデータの並びに並び換え変換される。
【００８７】
そして、走査線本数毎（１主走査分）の露光用フォーマットに変換された網点画像データをＹ，Ｍ，Ｃ，ＢＫ全色１画面分ずつ（１枚のカラープルーフを作成するのに必要な全色１枚分の網点画像データ）蓄積した後、Ｙ，Ｍ，Ｃ，ＢＫの全データからなる画素データを走査線本数毎の露光用フォーマットで読み出し、全色のデータを同時（点順次）に出力する。
【００８８】
制御部２２は、入力されたＹ，Ｍ，Ｃ，ＢＫの全データからなる画素データを走査線本数毎の露光用フォーマットにした画像データに基づき、網点の画素数をカウントし、このカウントは、例えば、１ライン分または１頁分の網点画像データの画素について続けて行う。
【００８９】
そして、その網点画像データについて主走査方向のドット数や副走査方向のドット数（ライン数）をカウントし、カウントされたカウント値を参照して画像サイズを算出しつつ、制御部２２は感光材料に画像を露光部２３にて露光するように制御する。
【００９０】
出力装置２０では、感光材料としてロール状のハロゲン化銀カラー写真感光材料をセットして、シート状に切断した後、並び替えられた網点画像データに応じて露光部２３にて露光し、その後、出力部２４に含まれる現像処理部で現像処理して、カラープルーフを作成する。
【００９１】
（本実施の形態の特徴的構成）
ここで、本実施の形態の特徴、すなわち、ＣＭＹ→Ｌ＊ａ＊ｂ＊  ＬＵＴ等の具体的構成について図３〜図５を用いて説明する。図３は、画像処理装置の一部の詳細を示した機能ブロック図である。
【００９２】
記憶部１７には、ある特定の出力装置で予め出力されたＹ、Ｍ、Ｃの各基本色の出力強度を変化させ格子状に組み合わせたカラー画像の表色系の値Ｌ＊、ａ＊、ｂ＊値を測定器で測定することにより、基本色の出力強度の組み合わせに対応する表色系の値Ｌ＊、ａ＊、ｂ＊との相関関係を定義したＣＭＹ→Ｌ＊ａ＊ｂ＊ＬＵＴ１７ａと、表色系の値Ｌ＊、ａ＊、ｂ＊値に対応する各基本色の出力強度の組み合わせとの相関関係を定義した第１の参照テーブルとしてのＬ＊ａ＊ｂ＊→ＣＭＹ  ＬＵＴ１７ｂと、ターゲット（例えば印刷機）が出力する目標となる白地及び基準色を測定して得られた表色系の値を格納する第２の参照テーブルとしてのターゲット測定テーブル１７ｃと、Ｌ＊ａ＊ｂ＊→ＣＭＹ  ＬＵＴ１７ｂとターゲット測定テーブル１７ｃに格納された目標となる白地及び基準色の表色系の値とに基づいて目標となる白地及び基準色に対応する出力色について基本色の出力強度の組み合わせを定義した第１の出力強度テーブルとしての基準カラーチャンネル色補正ＬＵＴ１７ｄ（詳細後述）と、基準カラーチャンネル色補正ＬＵＴ１７ｄに定義された目標となる白地及び基準色に対応する出力色について基本色の出力強度の組み合わせに基づき出力装置２０に対応させるようにした、目標となる白地及び基準色に対応する出力色について基本色の出力強度の組み合わせを定義した第２の出力強度テーブルとしてのカラーチャンネル色補正ＬＵＴ１７ｅ（詳細後述）と、を含んで構成されている。
【００９３】
さらに、図示しないが、記憶部１７には、基準色に関してドットゲイン補正を行うためのドットゲイン補正ＬＵＴ、各基本色に関してキャリブレーション補正を行うためのキャリブレーション補正ＬＵＴ、ＩＣＣ（Ｉｎｔｅｒｎａｔｉｏｎａｌ  Ｃｏｌｏｒ  Ｃｏｎｓｏｒｔｉｕｍ）で標準規定されるＩＣＣプロファイルに関する色補正情報を格納したＩＣＣプロファイル色補正情報格納手段、ＩＣＣデバイスリンクプロファイルに関する色補正情報を格納したＩＣＣデバイスリンクプロファイル色補正情報格納手段等、を含んでもよい。
【００９４】
調整演算処理部１３は、ＣＭＹ→Ｌ＊ａ＊ｂ＊  ＬＵＴ１７ａに基づいてＬ＊ａ＊ｂ＊→ＣＭＹ  ＬＵＴ１７ｂを算出する機能や、Ｌ＊ａ＊ｂ＊→ＣＭＹ  ＬＵＴ１７ｂに基づいて目標となる白地及び基準色に対応する出力色についての基本色の出力強度の組み合わせを生成する生成手段としての機能、及び、基準カラーチャンネル色補正ＬＵＴ１７ｄに基づき出力された白地及び基準色に対応するカラー画像の表色系の値に基づいてターゲット測定テーブル１７ｃを補正する補正手段としての機能を有する出力強度演算処理手段１３ａを含んで構成される。
【００９５】
また、上述のドットゲイン補正ＬＵＴ基づいて、網点画像データのドットゲイン補正の演算処理を行うドットゲイン補正演算処理手段、キャリブレーション補正ＬＵＴに基づいて、網点画像データのキャリブレーション補正の演算処理を行うキャリブレーション補正演算処理手段、ＩＣＣプロファイル色補正情報格納手段の情報に基づいて、ＩＣＣプロファイル色補正の演算処理を行うＩＣＣプロファイル色補正演算処理手段、ＩＣＣデバイスリンクプロファイル色補正情報格納手段の情報に基づいて、ＩＣＣデバイスリンクプロファイル色補正の演算処理を行うＩＣＣデバイスリンクプロファイル色補正演算処理手段、これらの各補正演算の演算順序や必要な補正演算のみを行うように制御する演算手順制御手段等を含んでもよい。
【００９６】
なお、調整演算処理部１３は、この他、出力強度演算処理手段１３ａにより算出された基本色の出力強度の組み合わせに基づいて、例えば、基準カラーチャンネル色補正ＬＵＴ１７ｄまたはカラーチャンネル色補正ＬＵＴ１７ｅに関する情報を、出力装置２０に対して転送し、出力装置２０にてデフォルトで設定されているＬＵＴを前記ＬＵＴ１７ｄまたｈ１７ｅの情報に置き換える処理を促す処理手段なども含んでよい。この際、処理手段は、出力装置２０のＬＵＴ情報を取得し、画像処理装置１０側にて置き換える必要があるか否かを判断する判断手段を備えてよい。
【００９７】
また、ＣＭＹ→Ｌ＊ａ＊ｂ＊  ＬＵＴ１７ａ、Ｌ＊ａ＊ｂ＊→ＣＭＹ  ＬＵＴ１７ｂ、ターゲット測定テーブル１７ｃ、基準カラーチャンネル色補正ＬＵＴ１７ｄ及びカラーチャンネル色補正ＬＵＴ１７ｅは、後述する（出力色の調整方法）に示すように設定入力されるが、表示部１５に、それぞれのテーブルに関する情報を設定入力するための機能と、を含んで構成することも可能である。またさらに、表示部１５に、ドットゲイン補正ＬＵＴに関する情報を設定入力するための機能と、基本色のキャリブレーション補正ＬＵＴに関する情報を設定入力するための機能と、ＩＣＣプロファイル色補正に関する情報を設定入力するための機能と、ＩＣＣデバイスリンクプロファイルに関する情報を設定入力するための機能などを含んで構成してもよい。
【００９８】
なお、表示部１５には、この他、出力媒体の形態、印刷条件、インク種別に応じた出力条件を設定する設定手段（不図示）を有することが好ましい。
【００９９】
（出力色の調整方法）
以下、本発明の特徴であるカラーチャンネル色補正ＬＵＴを用いた色の調整方法について述べる。まず、各テーブルについて説明する。
【０１００】
ＣＭＹ→Ｌ＊ａ＊ｂ＊  ＬＵＴ１７ａは、具体的には、図４に示す構成を有しており、例えば、ある特定の出力装置における基本色の出力強度の組み合わせ（Ｙ：０〜１４０、Ｍ：０〜１８０、Ｃ：０〜１８０）と表色系の測定値（Ｌ＊、ａ＊、ｂ＊）との関係を定義したテーブルである。基本色の出力強度を２０ステップで１段階でＹは８ステップ、Ｍ、Ｃは１０ステップとし、例えば（Ｙ、Ｍ、Ｃ）で（０、０、１８０）までいくと、次に（０、２０、０）から（０、２０、１８０）となり、同様にして（１４０、１８０、１８０）になるまで繰り返され、８×１０×１０＝８００通りを全部測定することで得られる値である。
【０１０１】
なお、本実施の形態では、例として２０ステップだけを挙げているが、さらに細かくすることもできる。
【０１０２】
Ｌ＊ａ＊ｂ＊→ＣＭＹ  ＬＵＴ１７ａについては、算出方法等詳細は後述するが、表色系の値（Ｌ＊、ａ＊、ｂ＊）の組み合わせと基本色の出力強度の組み合わせとの関係を定義したテーブルである。
【０１０３】
ターゲット測定テーブル１７ｃは、図６に示す構成を有しており、ターゲットの白地及び基準色の表色系の値を測定器によりＬ＊ａ＊ｂ＊値を測定し入力することによりテーブルの作成を予め行っておく。ここで、基準色は、ＣＭＹＫ１／２／３／４次色ベタである。ここで、１次色とはＣＭＹＫの内の１つ、２次色とはＣＭＹＫの内の２つ組み合わせ、３次色とはＣＭＹＫの内の３つ組み合わせ、４次色とはＣＭＹＫの内の４つ組み合わせを示し、Ｙ、Ｍ、Ｃ、ＢＫ、Ｒ（Ｙ＋Ｍ）、Ｂ（Ｍ＋Ｃ）、・・、Ｙ＋Ｍ＋Ｃ＋ＢＫの１５パターンを有する。つまり、網点の並びにおいて、ある網点に角度の違う他の網点が重なる際に、起こり得る組み合わせとしては白地を含めて１６通りあり、ターゲットの画像はこの白地と１５通りの基準色によって形成される。したがって、出力装置２０で出力する画像の画素の色はこの白地を含む１６通りのうちのいずれかとなり、続いて詳細を述べるカラーチャンネル色補正ＬＵＴ１７ｅに基づいて目標とする白地及び１５通りの基準色に色を合わせるように出力することにより、ターゲットと出力装置２０の出力する画像の色が合うのである。
【０１０４】
カラーチャンネル色補正ＬＵＴ１７ｅ及び基準カラーチャンネル色補正ＬＵＴ１７ｂは、図５及び図７に示す構成を有している。図５、図７から明らかなように基準カラーチャンネル色補正ＬＵＴ１７ｄとカラーチャンネル色補正ＬＵＴ１７ｅの構成は同じあり、目標となる白地及び基準色に対応する出力色についての基本色の出力強度の組み合わせとで構成されている。また、カラーチャンネル色補正ＬＵＴ１７ｅ及び基準カラーチャンネル色補正ＬＵＴ１７ｂは、出力強度演算処理手段１３ａにより以下のような手順で算出される。
【０１０５】
最初に、図１３により本実施の形態による出力色の補正方法の各ステップを概略的に説明する。
【０１０６】
まず、測定器で測定されたある特定の出力装置で出力されたＣＭＹの各基本色の出力強度を変化させ格子状に組み合わせたカラー画像の表色系の値をＣＭＹ→Ｌ＊ａ＊ｂ＊  ＬＵＴ１７ａに格納する（図１３ステップＳ１１、以下省略してＳ１１と記す。他のステップも同様に示す。）。さらに、ＣＭＹ→Ｌ＊ａ＊ｂ＊ＬＵＴ１７ａに格納された測定結果に基づいてＬ＊ａ＊ｂ＊→ＣＭＹ  ＬＵＴ１７ｂを作成する（Ｓ１２）。次に、ターゲットの白地及び基準色の表色系の値をターゲット測定テーブル１７ｃに格納する（Ｓ１３）。そして、ターゲット測定テーブル１７ｃに格納された測定結果と作成したＬ＊ａ＊ｂ＊→ＣＭＹ  ＬＵＴ１７ｂとからターゲットの白地及び基準色に対応する出力色についてのＣＭＹの出力強度の組み合わせを求め、基準カラーチャンネル色補正ＬＵＴ１７ｄに格納する（Ｓ１４）。
【０１０７】
上述のＣＭＹ→Ｌ＊ａ＊ｂ＊  ＬＵＴ１７ａはＬ＊ａ＊ｂ＊→ＣＭＹ  ＬＵＴ１７ｂの作成に用いた後、消去しても良い。
【０１０８】
また、制御装置１０とは別のパソコン等の情報処理装置により、測定器で測定されたある特定の出力装置で出力されたＣＭＹの各基本色の出力強度を変化させ格子状に組み合わせて出力したカラー画像の表色系の値から作成したＬ＊ａ＊ｂ＊→ＣＭＹ  ＬＵＴ１７ｂを記憶部１７に格納することも可能である。また、その場合には、ＣＭＹ→Ｌ＊ａ＊ｂ＊  ＬＵＴ１７ａを記憶部１７に含まなくてもよい。
【０１０９】
また、ターゲットの白地及び基準色に対応する出力色についてのＣＭＹの出力強度の組み合わせを、別のパソコン等の情報処理装置により算出し、算出結果を表示部１５から設定入力することも可能である。
【０１１０】
次に、基準カラーチャンネル色補正ＬＵＴ１７ｄに格納されたＣＭＹの出力強度の組み合わせを利用し、出力装置２０に対応したターゲットの白地及び基準色に対応する出力色についてのＣＭＹの出力強度の組み合わせを求めて、カラーチャンネル色補正ＬＵＴ１７ｅに格納し、出力色の調整を行う。
【０１１１】
まず、基準カラーチャンネル色補正ＬＵＴ１７ｄに格納されたＣＭＹの出力強度の組み合わせに基づいて出力装置２０で出力された白地及び基準色に対応するカラー画像を測定してその測定された表色系の値が入力されると（Ｓ１５）、その入力された表色系の値からターゲット測定テーブル１７ｃに格納されたターゲットの表色系の値をマイナスして差分を求め、その差分をターゲット測定テーブル１７ｃに格納されたターゲットの表色系の値からマイナスして補正し、その補正された表色系の値と、Ｌ＊ａ＊ｂ＊→ＣＭＹ  ＬＵＴ１７ｂとに基づいて、Ｙ、Ｍ、Ｃの出力強度の組み合わせを算出しカラーチャンネル色補正ＬＵＴ１７ｅに格納する（Ｓ１６）。そして、カラーチャンネル色補正ＬＵＴ１７ｅに格納されたＣＭＹの出力強度の組み合わせに基づいて出力装置２０から出力させる（Ｓ１７）。
【０１１２】
以下、各ステップをさらに詳細に説明する。ところで、上述のＣＭＹ→Ｌ＊ａ＊ｂ＊  ＬＵＴ１７ａは、ＣＭＹの出力強度の組み合わせを表色系の値Ｌ＊ａ＊ｂ＊に変換し、Ｌ＊ａ＊ｂ＊→ＣＭＹ  ＬＵＴ１７ｂは、表色系の値Ｌ＊ａ＊ｂ＊をＣＭＹの出力強度の組み合わせに変換するものである。
【０１１３】
（Ｓ１１、Ｓ１２）
まず、ある特定の出力装置を用いて、ＣＭＹ→Ｌ＊ａ＊ｂ＊  ＬＵＴ１７ａを作成し、さらに、そのＣＭＹ→Ｌ＊ａ＊ｂ＊  ＬＵＴ１７ａに基づいてＬ＊ａ＊ｂ＊→ＣＭＹ  ＬＵＴ１７ｂを求める。
【０１１４】
ＣＭＹ→Ｌ＊ａ＊ｂ＊  ＬＵＴは、例えば、図１４に示すようになり、ＣＭＹのＬＵＴ入力点に対するＬ＊ａ＊ｂ＊値を求めるための３次元入力／３次元出力であり、具体的にはＣＭＹの全色空間に及ぶ多数の組合せについてカラー画像を測色計で測色し、各カラー画像のＬ＊ａ＊ｂ＊値を求めてＬＵＴにし、例えば、次のような方法で決めることができる。
【０１１５】
まず、Ｃ及びＭの最小値０から１８０までを１０分割し、０、２０、４０、６０、８０、１００、１２０、１４０、１６０、１８０の１０段階、Ｙの最小値０から１４０までを８分割し、０、２０、４０、６０、８０、１００、１２０、１４０の８段階をとり、Ｃ×Ｍ×Ｙ：１０×１０×８＝８００点の組合せについてカラー画像を配置した図１５のようなカラーチャートを出力装置２０で印刷し、１０×１０×８＝８００点の各画像を測色してＬ＊ａ＊ｂ＊値を決める。そして、１０×１０×８＝８００点のＣＭＹの組み合わせと、各点に対応するＬ＊ａ＊ｂ＊値によりＣＭＹ→Ｌ＊ａ＊ｂ＊  ＬＵＴが例えば図４に示すように作成される。実際には出力装置で画像１枚中に出力できる色数が制限されるため、図１５のカラーチャートの全ての色パッチを、複数の画像データに分けて印刷して測色する。
【０１１６】
一方、Ｌ＊ａ＊ｂ＊→ＣＭＹ  ＬＵＴ１７ｂは、図１６に示すように３次元入力／３次元出力ＬＵＴであり、３３×３３×３３の格子点の間の点について補間を行って変換する。
【０１１７】
図１６のＬ＊ａ＊ｂ＊→ＣＭＹ  ＬＵＴ１７ｂを求める方法を説明する。簡単のため、基本色をＣ、Ｍの２色として説明する。なお、Ｃ、Ｍはいずれも０〜１８０の値、Ｙは０〜１４０の値をとるものとする。
【０１１８】
先ず、前述のＣＭＹ→Ｌ＊ａ＊ｂ＊  ＬＵＴ１７ａのＣ×Ｍ×Ｙ：１０×１０×８の３次元データを用いて、Ｌ＊ａ＊ｂ＊→ＣＭＹ  ＬＵＴ１７ｂを計算する。図１７は、ＣＭＹの内のＭとＣの２次元１０×１０の組合せ（Ｙ＝０）について、縦軸にＬ＊を横軸にａ＊をプロットしたものである。実際には３次元であるが簡単のため２次元で示す。
【０１１９】
このＣＭＹの分布に対して、求めようとするターゲット点［Ｌ＊（０〜１００）ａ＊（−１２７〜１２８）ｂ＊（−１２７〜１２８）：３３×３３×３３＝３５９３７の各ＬＵＴ入力点］のＬ＊ａ＊ｂ＊が目標値Ｔ’として与えられる。目標値Ｔ’が図１７に示すように格子点ａ’〜ｄ’で囲まれる領域にあるとき、ＭＣの座標系におけるＭＣの組合せ（目標値Ｔ）は図１８に示すように格子点ａ〜ｄで囲まれる領域内にあるものと推定される。そして、目標値Ｔが格子点ａ〜ｄによって形成される領域のどこにあるかは、図１７の表色系を図１８の座標系に対応付けながら、収束演算処理をして求める。このように収束演算処理をするのは、図１８の座標系から図１７の表色系への変換が既知であるにもかかわらずこの逆の変換は非常に複雑で未だ良好な変換式が知られていないためである。
【０１２０】
次に、図１９の格子点ａ〜ｄによって形成される領域ＳＰ０を４つの領域ＳＰ１〜ＳＰ４に等分する。５個の分割点ｅ〜ｉは、既に求められている周囲の格子点を利用して重み平均によって算出する。そして、この分割点ｅ〜ｉに対応する値をＬ＊ａ＊ｂ＊表色系に変換したときの値を図２０の表色系にプロットし、プロットされた分割点ｅ’〜ｉ’によって形成された４つの領域ＳＰ１’〜ＳＰ４’のうちどの領域に目標値Ｔ’があるかを求める。図２０に示すように領域ＳＰ２’にあるときには、図１９に示すように目標値Ｔは領域ＳＰ２’に対応したＳＰ２にあるものと推定する。
【０１２１】
つぎに推定された領域ＳＰ２をＳＰ５〜ＳＰ８に等分する。５個の分割点ｊ〜ｎは既に求められていつ周囲の格子点又は分割点を利用して重み平均によって算出する。そして、この分割点ｊ〜ｎに対応する値をＬ＊ａ＊ｂ＊表色系に変換したときの値を図２０の表色系にプロットし、プロットされた分割点ｊ’〜ｎ’によって形成された４つの領域ＳＰ５’〜ＳＰ８’のうちどの領域に目標値Ｔ’があるかを求める。図２０に示すように領域ＳＰ８’にあるときには、図１９に示すように目標値Ｔは領域ＳＰ８’に対応した領域ＳＰ８にあるものと推定する。
【０１２２】
つぎに、推定された領域ＳＰ８を４つの領域ＳＰ９からＳＰ１２に等分する。５個の分割点ｏ〜ｓは既に求められていつ周囲の格子点又は分割点を利用して重み平均によって算出する。そして、この分割点ｏ〜ｓに対応する値をＬ＊ａ＊ｂ＊表色系に変換したときの値を図２０の表色系にプロットし、プロットされた分割点ｏ’〜ｓ’によって形成された４つの領域ＳＰ９’〜ＳＰ１２’のうちどの領域に目標値Ｔ’があるかを求める。図２０に示すように領域ＳＰ１０’にあるときには、図１９に示すように目標値Ｔは領域ＳＰ１０’に対応した領域ＳＰ１０にあるものと推定する。
【０１２３】
以上のような領域の分割を繰り返すことによって格子は次第に小さくなり、ついには収束する。そして、収束した領域を形成する４つの格子点又は分割点を平均することによって目標値Ｔが求められ、基本色の組合せを求めることができる。
【０１２４】
また、本実施の形態では、上述のような収束演算による方法を記したが、本出願人による特許第２８９５０８６号の明細書に記載されているような補間方法を用いても良い。
【０１２５】
ところで、目標値Ｔ’が図２１に示すようにＬ＊ａ＊ｂ＊表色系の頂点Ｗ’、Ｃ’、Ｍ’、Ｂ’で形成される色再現範囲の外にあるときには、この目標値Ｔ’を色再現範囲に移動する必要がある。この場合、目標値Ｔ’を無彩色方向に移動させ、図２２に示すように無彩色方向の色再現範囲の境界との交点の座標を目標値とし、図２３に示すようにＴ’に対応する目標値Ｔを算出する。
【０１２６】
なお、目標値Ｔ’は必ずしも境界に移動させる必要はなく、色再現範囲内に移動されればよい。また、ここでは説明のためにＣ×Ｍの２次元について例を示したが、実際にはＣ×Ｍ×Ｙの３次元について行い、Ｌ＊ａ＊ｂ＊の３３×３３×３３点の各ＬＵＴ入力点を目標値Ｔ’としてＣ、Ｍ、Ｙの値を１点ずつ計算する必要がある。
【０１２７】
以上のようにして、Ｌ＊ａ＊ｂ＊の３３×３３×３３点の組み合わせと、各点に対応するＣＭＹの組み合わせにより、Ｌ＊ａ＊ｂ＊→ＣＭＹ  ＬＵＴ１７ｂは求められる。
【０１２８】
（Ｓ１３）
一方、ターゲット（例えば、印刷機）において基準色のＣＭＹＫ１／２／３／４次色を出力し、その出力を測定し１６色（白地を含む）のＬ＊ａ＊ｂ＊値をターゲット測定テーブル１７ｃに例えば図６に示すように格納する。
【０１２９】
（Ｓ１４）
次に、ターゲットの白地及び基準色を測定して得られたＬ＊ａ＊ｂ＊値とＬ＊ａ＊ｂ＊→ＣＭＹ  ＬＵＴ１７ｂとから、白地及び基準色に対応する出力色についてのＣＭＹの出力強度の組み合わせを求めて、基準カラーチャンネル色補正ＬＵＴ１７ｄを作成する。
【０１３０】
例えば、図６のＷ（白）に示したＬ＊ａ＊ｂ＊値、Ｌ＊＝８２．８６、ａ＊＝２．６２、ｂ＊＝―４．３５を用いると、Ｌ＊ａ＊ｂ＊：３３×３３×３３→ＣＭＹ  ＬＵＴのＬ＊ａ＊ｂ＊：３３×３３×３３の入力点と、Ｌ＊ａ＊ｂ＊それぞれの入力点への距離は、
Ｌ＊：８２．８６／１００×３２＝２６．５なので、Ｌ＊の１つ目の点Ｌ１とＬ１への距離ＤＬ１と、Ｌ＊の２つ目の点Ｌ２とＬ２への距離ＤＬ２は、Ｌ１＝２６、ＤＬ１＝０．５、Ｌ２＝２７、ＤＬ２＝０．５
ａ＊：（２．６２＋１２７）／２５５×３２＝１６．３なので、ａ＊の１つ目の点ａ１とａ１への距離ＤＬ１と、ａ＊の２つ目の点ａ２とａ２への距離Ｄａ２は、ａ１＝１６、Ｄａ１＝０．３、ａ２＝１７、Ｄａ２＝０．７
ｂ＊：（―４．３５＋１２７）／２５５×３２＝１５．４なので、ｂ＊の１つ目の点ｂ１とｂ１への距離ＤＬ１と、ｂ＊の２つ目の点ｂ２とｂ２への距離Ｄｂ２は、ｂ１＝１５、Ｄｂ１＝０．４、ｂ２＝１６、Ｄｂ２＝０．６
となる。
【０１３１】
Ｌ＊ａ＊ｂ＊：３３×３３×３３→ＣＭＹ  ＬＵＴからのＬ＊２点（Ｌ１、Ｌ２）×ａ＊２点（ａ１、ａ２）×ｂ＊２点（ｂ１、ｂ２）＝８点についてのＣＭＹ値を、
ＣＬ１ａ１ｂ１、ＣＬ１ａ１ｂ２、ＣＬ１ａ２ｂ１、ＣＬ１ａ２ｂ２、
ＣＬ２ａ１ｂ１、ＣＬ２ａ１ｂ２、ＣＬ２ａ２ｂ１、ＣＬ２ａ２ｂ２、
ＭＬ１ａ１ｂ１、ＭＬ１ａ１ｂ２、ＭＬ１ａ２ｂ１、ＭＬ１ａ２ｂ２、
ＭＬ２ａ１ｂ１、ＭＬ２ａ１ｂ２、ＭＬ２ａ２ｂ１、ＭＬ２ａ２ｂ２、
ＹＬ１ａ１ｂ１、ＹＬ１ａ１ｂ２、ＹＬ１ａ２ｂ１、ＹＬ１ａ２ｂ２、
ＹＬ２ａ１ｂ１、ＹＬ２ａ１ｂ２、ＹＬ２ａ２ｂ１、ＹＬ２ａ２ｂ２、
とすると、Ｌ＊＝８２．８６、ａ＊＝２．６２、ｂ＊＝―４．３５についてのＣＭＹの値は次式、
Ｃ＝ＤＬ２×Ｄａ２×Ｄｂ２×ＣＬ１ａ１ｂ１
＋ＤＬ２×Ｄａ２×Ｄｂ１×ＣＬ１ａ１ｂ２
＋ＤＬ２×Ｄａ１×Ｄｂ２×ＣＬ１ａ２ｂ１
＋ＤＬ２×Ｄａ１×Ｄｂ１×ＣＬ１ａ２ｂ２
＋ＤＬ１×Ｄａ２×Ｄｂ２×ＣＬ２ａ１ｂ１
＋ＤＬ１×Ｄａ２×Ｄｂ１×ＣＬ２ａ１ｂ２
＋ＤＬ１×Ｄａ１×Ｄｂ２×ＣＬ２ａ２ｂ１
＋ＤＬ１×Ｄａ１×Ｄｂ１×ＣＬ２ａ２ｂ２
Ｍ＝ＤＬ２×Ｄａ２×Ｄｂ２×ＭＬ１ａ１ｂ１
＋ＤＬ２×Ｄａ２×Ｄｂ１×ＭＬ１ａ１ｂ２
＋ＤＬ２×Ｄａ１×Ｄｂ２×ＭＬ１ａ２ｂ１
＋ＤＬ２×Ｄａ１×Ｄｂ１×ＭＬ１ａ２ｂ２
＋ＤＬ１×Ｄａ２×Ｄｂ２×ＭＬ２ａ１ｂ１
＋ＤＬ１×Ｄａ２×Ｄｂ１×ＭＬ２ａ１ｂ２
＋ＤＬ１×Ｄａ１×Ｄｂ２×ＭＬ２ａ２ｂ１
＋ＤＬ１×Ｄａ１×Ｄｂ１×ＭＬ２ａ２ｂ２
Ｙ＝ＤＬ２×Ｄａ２×Ｄｂ２×ＹＬ１ａ１ｂ１
＋ＤＬ２×Ｄａ２×Ｄｂ１×ＹＬ１ａ１ｂ２
＋ＤＬ２×Ｄａ１×Ｄｂ２×ＹＬ１ａ２ｂ１
＋ＤＬ２×Ｄａ１×Ｄｂ１×ＹＬ１ａ２ｂ２
＋ＤＬ１×Ｄａ２×Ｄｂ２×ＹＬ２ａ１ｂ１
＋ＤＬ１×Ｄａ２×Ｄｂ１×ＹＬ２ａ１ｂ２
＋ＤＬ１×Ｄａ１×Ｄｂ２×ＹＬ２ａ２ｂ１
＋ＤＬ１×Ｄａ１×Ｄｂ１×ＹＬ２ａ２ｂ２
によって求められる。
【０１３２】
上述のようにして、ターゲットの目標となる白地及び基準色を測定して得られたＬ＊ａ＊ｂ＊値をある特定の出力装置で再現するようにＣＭＹの出力強度の組み合わせを求めて、図７に示すような基準カラーチャンネル色補正ＬＵＴ１７ｄを作成する。なお、本実施例ではＬ＊ａ＊ｂ＊→ＣＭＹ  ＬＵＴを一度作成する場合について記したが、Ｌ＊ａ＊ｂ＊→ＣＭＹ  ＬＵＴを作成せずに、ＣＭＹ→Ｌ＊ａ＊ｂ＊  ＬＵＴからＬ＊ａ＊ｂ＊→ＣＭＹ  ＬＵＴを作成する時に用いた方法によって、ターゲットの目標となる白地及び基準色を測定して得られたＬ＊ａ＊ｂ＊値からＣＭＹの出力強度の組み合わせを直接求めても良い。
【０１３３】
次に、Ｓ１５及びＳ１６に従って、カラーチャンネル色補正ＬＵＴ１７ｅを作成し格納する。
【０１３４】
（Ｓ１５）
まず、基準カラーチャンネル色補正ＬＵＴ１７ｄに格納されたＣＭＹの出力強度の組み合わせに基づいてＣＭＹＫ１／２／３／４次色ベタと白地を出力装置２０で出力し、ＣＭＹＫ１／２／３／４次色ベタと白地の１６色を測定してその測定されたＬ＊ａ＊ｂ＊値を入力する。その測定結果の一例を図８に示す。
【０１３５】
（Ｓ１６）
次に、その入力された図８に示すＬ＊ａ＊ｂ＊値からターゲット測定テーブル１７ｃに格納されたそれぞれ対応するＬ＊ａ＊ｂ＊値（例えば図６）をマイナスした差分を求め、ターゲット測定テーブル１７ｃに格納されたターゲットの表色系の値から求めた差分をマイナスする。その結果を一例として図９に示す。そして図９に示すＬ＊ａ＊ｂ＊値とＬ＊ａ＊ｂ＊→ＣＭＹ  ＬＵＴ１７ｂから、Ｓ１４と同様にしてＣＭＹの出力強度の組み合わせを求めて、例えば図５に示すようなカラーチャンネル色補正ＬＵＴ１７ｅを作成する。なお、本実施例ではＬ＊ａ＊ｂ＊→ＣＭＹ  ＬＵＴを一度作成する場合について記したが、Ｌ＊ａ＊ｂ＊→ＣＭＹ  ＬＵＴを作成せずに、ＣＭＹ→Ｌ＊ａ＊ｂ＊  ＬＵＴからＬ＊ａ＊ｂ＊→ＣＭＹ  ＬＵＴを作成する時に用いた方法によって、前記の差分をマイナスして求めたＬ＊ａ＊ｂ＊値からＣＭＹの出力強度の組み合わせを直接求めても良い。
【０１３６】
（Ｓ１７）
そして、カラーチャンネル色補正ＬＵＴ１７ｅに格納されたＣＭＹの出力強度の組み合わせに基づいて出力装置２０から画像を出力する。このカラーチャンネル色補正ＬＵＴ１７ｅに格納されたＣＭＹの出力強度の組み合わせは、基準カラーチャンネル色補正ＬＵＴ１７ｄに格納されたＣＭＹの出力強度の組み合わせを用いての出力色とターゲットの出力色の差を考慮したものであり、出力装置２０に対応したものとなっている。
【０１３７】
以上のようにして、カラーチャンネル色補正ＬＵＴ１７ｅを用いて出力装置２０の出力色の調整を行う。
【０１３８】
ここで、図４から図９は上述の調整方法を用いた一実施例に基づく数値であり、如何に出力装置２０に対応したものとなっているかを述べる。まず、一実施例に基づく図５に示すカラーチャンネル色補正ＬＵＴ１７ｅを用いて、ＣＭＹＫ１／２／３／４次色を出力装置２０で出力し、そのＬ＊ａ＊ｂ＊値を測定した測定結果を図１０に示す。さらに、図１１に図１０に示した測定結果とそれぞれ対応するターゲット測定テーブル１７ｃに格納されたターゲットの測定結果との色差：ΔＥを、図１２に、図８に示した測定結果とそれぞれ対応するターゲット測定テーブル１７ｃに格納されたターゲットの測定結果との色差：ΔＥを示す。
【０１３９】
ここで、色差：ΔＥは、一方のＬ＊ａ＊ｂ＊値をＬ１、ａ１、ｂ１、他方のＬ＊ａ＊ｂ＊値をＬ２、ａ２、ｂ２としたときに、その関係は、
ΔＥ２＝（Ｌ１−Ｌ２）２＋（ａ１−ａ２）２＋（ａ１−ａ２）２、
で与えられるものである。図１１及び図１２から明らかであるが、上述の調整方法を用いたＣＭＹの出力強度の組み合わせで出力した白地及び基準色に対応するベタの色は、ターゲットの目標となる白地及び基準色の色にさらに近くなっていることがわかる。
【０１４０】
また、ターゲットに応じて複数のカラーチャンネル色補正ＬＵＴを用意し、ターゲットによって複数種のテーブルを変化させることで、色の再現の仕方が変わり、ターゲットに応じた色が出力される。
【０１４１】
また、ターゲットとなる印刷機でＣ、Ｍ、Ｙ、ＢＫのインクの他に特色を用いる場合には、特色とＣＭＹＫ１／２／３／４／５次色の組み合わせの３１通りの基準色と白地についてＬ＊ａ＊ｂ＊値を測定し、白地を含めた３２通りについて上述の図１３に示した補正方法と同様にＣＭＹの出力強度の組み合わせを求めて、そのＣＭＹの出力強度の組み合わせを用いて出力すればよい。すなわち、この場合には、本発明の「網点画像を構成する色」は、この３１通りの基準色と白地である。また、２つ以上の特色を用いる場合には、例えば２つの特色を用いる場合には、特色１，２とＣＭＹＫ１／２／３／４／５／６次色の組み合わせの６３通りの基準色と白地についてＬ＊ａ＊ｂ＊値を測定し、白地を含めた６４通りについて上述の図１３に示した調整方法と同様にＣＭＹの出力強度の組み合わせを求めて、そのＣＭＹの出力強度の組み合わせを用いて出力すればよい。すなわち、この場合には、本発明の「網点画像を構成する色」は、この６３通りの基準色と白地である。ただし、ターゲットとなる印刷機がいずれかのインクを重ねずに印刷する場合、特に特色は、Ｃ、Ｍ、Ｙ、ＢＫとは重ねずに印刷される場合等があるが、そのような場合には、ＣＭＹＫ及び特色を必要に応じて重ねた色を基準色として出力してＬ＊ａ＊ｂ＊値を測定し、その基準色についてＣＭＹの出力強度の組み合わせを求めてもよい。また、一色で印刷する場合には、その一色の基準色と白地についてＣＭＹの出力強度の組み合わせを求めることでよい。
【０１４２】
【発明の効果】
以上説明したように本発明によれば、ある特定の出力機を用いて作成した複数の色特性の値としての表色系の値に対する複数の基本色の出力強度の組み合わせと、目標とする白地及び基準色の表色系の値と、前記複数の色特性の値としての表色系の値に対する複数の基本色の出力強度の組み合わせと目標とする白地及び基準色の表色系の値とに基づいて得られた目標となる白地及び基準色に対応する出力色についての基本色の出力強度の組み合わせを用いて、経時変化した出力装置や別の出力装置（機差）に対応する基本色の出力強度の組み合わせを求め、目標とする白地及び基準色に合わせて出力することができる。したがって、経時変化した出力装置や機差により、その都度複数の色特性の値としての表色系の値に対する複数の基本色の出力強度の組み合わせを作成する必要が無く、容易にターゲットの出力色に合わせるように出力色の調整を行うことができる。
【０１４３】
また、基本色の出力強度を変化させ格子状に組み合わせた画像を出力することが困難である網点画像を重ね合わせてカラー画像を出力する出力装置であっても目標となる白地及び基準色に対応する出力色ついての基本色の出力強度の組み合わせを求めることができる。
【図面の簡単な説明】
【図１】本発明のカラープルーフ作成システムの全体の概略構成を示す説明図である。
【図２】図１のカラープルーフ作成システムにおける画像処理装置及び出力装置の構成を示した機能ブロック図である。
【図３】画像処理装置の詳細な構成を示した機能ブロック図である。
【図４】ＣＭＹ→Ｌ＊ａ＊ｂ＊  ＬＵＴの構成の一例を示す説明図である。
【図５】カラーチャンネル色補正ＬＵＴの構成の一例を示す説明図である。
【図６】ターゲット測定テーブルの構成の一例を示す説明図である。
【図７】基準カラーチャンネル色補正ＬＵＴの構成の一例を示す説明図である。
【図８】ベタの色の表色系の値の測定結果の一例を示す説明図である。
【図９】図８に示す測定結果の一例とターゲット測定テーブルに格納された表色系の値とから求めた演算結果の一例を示す説明図である。
【図１０】ベタの色の表色系の値の測定結果の一例を示す説明図である。
【図１１】ベタの色の色差の一例を示す説明図である。
【図１２】ベタの色の色差の一例を示す説明図である。
【図１３】本発明の実施形態の出力色の補正方法の手順を示すフローチャートである。
【図１４】本実施の形態においてＣＭＹの色の値を表色系の値Ｌ＊ａ＊ｂ＊に変換するＬＵＴの説明図である。
【図１５】本実施の形態においてＣＭＹの色の値を測色するためのカラーパッチ画像の一例を示す図である。
【図１６】本実施の形態において表色系の値Ｌ＊ａ＊ｂ＊をＣＭＹの色の値に変換するＬＵＴの説明図である。
【図１７】本実施の形態においてＣ、Ｍの表色系の座標における目標値Ｔ’を示す座標図である。
【図１８】本実施の形態においてＣ、Ｍの色の組合せの座標における目標値Ｔを示す座標図である。
【図１９】本実施の形態においてＣ、Ｍの色の組合せの座標における目標値Ｔを推定するための収束演算処理の座標図である。
【図２０】本実施の形態においてＣ、Ｍの表色系の座標における目標値Ｔ’を推定するための収束演算処理の座標図である。
【図２１】本実施の形態において目標値Ｔ’が色再現範囲の外にある場合のＣ、Ｍの表色系の座標における目標値Ｔ’を示す図である。
【図２２】本実施の形態において目標値Ｔ’が色再現範囲の外にある場合のＣ、Ｍの表色系の座標における目標値Ｔ’を示す座標図で、目標値Ｔ’を色再現範囲の内に移動させたことを示す座標図である。
【図２３】本実施の形態において色再現範囲の外にある目標値Ｔ’を色再現範囲の内に移動させた場合のＣ、Ｍの色の組合せの座標における目標値Ｔを示す図である。
【符号の説明】
１  カラープルーフ作成システム
１０  画像処理装置
１２  網点画像データ作成部
１３  調整演算処理部
１３ａ  出力強度演算処理手段（補正手段、生成手段）
１４  転送制御部
１７  記憶部
１７ａ  ＣＭＹ→Ｌ＊ａ＊ｂ＊  ＬＵＴ
１７ｂ  Ｌ＊ａ＊ｂ＊→ＣＭＹ  ＬＵＴ（第１の参照テーブル）
１７ｃ  ターゲット測定テーブル（第２の参照テーブル）
１７ｄ  基準カラーチャンネル色補正ＬＵＴ（第１の出力強度テーブル）
１７ｅ  カラーチャンネル色補正ＬＵＴ（第２の出力強度テーブル）
１９  制御部
２０  出力装置
２１  情報一時格納部
２２  制御部（制御手段）
２３  露光部
２４  出力部
２５  記憶部
【図１】
2004274546.tif 000003
【図２】
2004274546.tif 000004
【図３】
2004274546.tif 000005
【図４】
2004274546.tif 000006
【図５】
2004274546.tif 000007
【図６】
2004274546.tif 000008
【図７】
2004274546.tif 000009
【図８】
2004274546.tif 000010
【図９】
2004274546.tif 000011
【図１０】
2004274546.tif 000012
【図１１】
2004274546.tif 000013
【図１２】
2004274546.tif 000014
【図１３】
2004274546.tif 000015
【図１４】
2004274546.tif 000016
【図１５】
2004274546.tif 000017
【図１６】
2004274546.tif 000018
【図１７】
2004274546.tif 000019
【図１８】
2004274546.tif 000020
【図１９】
2004274546.tif 000021
【図２０】
2004274546.tif 000022
【図２１】
2004274546.tif 000023
【図２２】
2004274546.tif 000024
【図２３】
2004274546.tif 000025